(57)【特許請求の範囲】
【請求項１】
護岸の内側面に沿って張設され、もしくは、該護岸の内側面と間隔を有して離間するように構築される堤状構造体の内側面または外側面に沿って張設される遮水シートに生じる遮水シートの破損を、護岸の内側の内水域で補修する、水中に張設される遮水シートの補修方法であって、
補修作業に先立ち、
前記遮水シートの破損箇所の周りを囲んだその部位を、前記護岸または前記堤状構造体に向かって押さえつけた状態にして、
前記破損箇所を囲んだ領域内の水を排水して、前記破損箇所を囲んだ領域内を気中状態にし、
前記破損箇所を囲んだ領域内の前記遮水シートの破損箇所を溶着して補修することを特徴とする、水中に張設される遮水シートの補修方法。
【請求項２】
前記堤状構造体の外側面に張設される前記遮水シートの破損箇所の周りを囲んで、前記堤状構造体に向かって押さえつけたその反力を、前記護岸で受けさせるようにすることを特徴とする請求項１に記載の、水中に張設される遮水シートの補修方法。
【請求項３】
前記護岸の内側面、または、前記堤状構造体の内側面に張設される前記遮水シートの破損箇所の周りを囲んで、前記護岸または前記堤状構造体に向かって押さえつけたその反力を、前記遮水シートに対面するように配置される仮設構造体で受けさせるようにすることを特徴とする請求項１に記載の、水中に張設される遮水シートの補修方法。
【請求項４】
前記護岸の内側面に張設される前記遮水シートの破損箇所の周りを囲んで、前記護岸に向かって押さえつけたその反力を、前記堤状構造体で受けさせるようにすることを特徴とする請求項１に記載の、水中に張設される遮水シートの補修方法。
【請求項５】
護岸の内側面に沿って張設され、もしくは、該護岸の内側面と間隔を有して離間するように構築される堤状構造体の内側面または外側面に沿って張設される遮水シートに生じる遮水シートの破損を、護岸の内側の内水域で補修するために用いられる、水中に張設される遮水シートの補修用具であって、
作業者が出入りする出入り用開口部、および、該出入り用開口部に連通する作業者収容空間を有する有底筒状の本管と、該本管に対して直交方向に延出して形成され、作業者収容空間に連通する作業用空間、および、該作業用空間に連通する、遮水シートの破損箇所の周りを囲む作業用開口部を有する分岐管とで構成される作業用管体を備えることを特徴とする、水中に張設される遮水シートの補修用具。
【請求項６】
前記遮水シートの破損箇所の周りを囲んだ前記作業用開口部を、前記護岸または前記堤状構造体に向かって押さえつけた状態を保持する押圧保持手段を備えることを特徴とする請求項５に記載の、水中に張設される遮水シートの補修用具。
【請求項７】
前記押圧保持手段は、前記有底筒状体に当接する第１当接部材と、前記護岸、前記堤状構造体、遮水シートに対面するように配置される仮設構造体のいずれかに当接する第２当接部材と、第１当接部材および第２当接部材を伸縮させる伸縮調整部とで構成される押圧保持具を備えることを特徴とする請求項６に記載の、水中に張設される遮水シートの補修用具。
【発明の詳細な説明】
【技術分野】
【０００１】
本発明は、例えば、護岸により外水域から締め切られた内水域に設定された廃棄物処理場において、内水域の水底地盤に構築された構造物に張設されている遮水シートの破損した箇所を補修するための、水中に張設される遮水シートの補修方法およびその補修用具に関する。
【背景技術】
【０００２】
近年、産業廃棄物などの廃棄物の処分場としては、護岸により外水域から締め切られる内水域に設定される場合がある。この種の廃棄物処理場を含む全体構成は、例えば、図１１に示すように、護岸１を構成する基礎工２、ケーソン３および上部工４と、内水域Ａ側の、内水域側根固捨石層５、盛土（腹付土層）６、矢板７、遮水層８および被覆モルタル９と、外水域Ｂ側の、外水域側根固捨石層１０およびブロック層１１とを備えている。
【０００３】
基礎工２は、水底地盤Ｇが掘削されて、平坦にされた後、この平坦面に砕石マウンドが構築される。この砕石マウンドは、側面視等脚台形状を呈している。そして、砕石マウンドは、水底地盤Ｇの不陸修正、上部工の荷重分散、波や流れによる洗堀の防止の役目を担っている。
【０００４】
ケーソン３は、基礎工２の上に据え付けられている。そして、ケーソン３は、上部工４の鉛直方向の荷重、波や風によって上部工事に加わる水平方向の荷重が水底地盤Ｇに伝えられる役目を担っている。
【０００５】
上部工４は、ケーソン３の上に据え付けられている。そして、上部工４は、内水域Ａ側および外水域Ｂ側に上方に突出して形成された堤防（突条体）４ａ，４ｂを有している。この堤防４ａ，４ｂによって、内水域Ａ側の汚染水が外水域Ｂ側に流出しないようにするとともに、外水域Ｂの水（海または河川の水）が内水域Ａ側に流出しないようにしている。
【０００６】
内水域側根固捨石層５は、基礎工２と所定間隔を有して形成されている。そして、内水域側根固捨石層５は、腹付土層６の法面６ｂが崩れないように、腹付土層６の内水域側の面に対する法止め（腹付土層６の法先６ｃの保護）として造成されている。また、内水域側根固捨石層５を貫通した矢板７が水底地盤Ｇに打ち込まれている。
【０００７】
盛土（腹付土層）６は、埋立土（山土、山砂、スラグなど）が投入されて造成されている。そして、埋立土は、上層部６ａが平坦に形成され、下層部（法先）６ｃに向かうにしたがって層が厚くなるように下降傾斜する傾斜面（法面）６ｂが形成されている。そして、腹付土層６は、所定高さに法面６ｂを形成すべく、基礎工２上に造成されている。
【０００８】
遮水層８は、腹付土層６の上層部（平坦面）６ａおよび法面（傾斜面）６ｂに沿うように敷設される遮水シートにより構成されている。そして、遮水シート８は、内水域Ａ側の汚染水が外水域Ｂ側に流出することを防止する役目を担っている。
【０００９】
被覆モルタル９は、モルタルで作成された平板状の重石となっている。そして、被覆モルタル９は、腹付土層６の法面６ｂに沿って階段状に積み重ねられ、遮水シート８が腹付土層６の法面６ｂから外水域Ａの水圧によって浮き上がらないようにする役目を担っている。
【００１０】
外水域側根固捨石層１０は、基礎工２の傾斜面（法面）の下層（法先）に隣接するように形成されている。そして、外水域側根固捨石層１０は、基礎工２および後述するブロック層１１が崩れないように、基礎工２の外水域Ｂ側の面に対する法止め（基礎工２の法先の保護）として造成される。
【００１１】
ブロック層１１は、外水域側根固捨石層１０および基礎工２の上に積み重ねられた被覆ブロック１１ａと、被覆ブロック１１ａの上に積み重ねられた、外水域Ｂの波のエネルギーを分散して弱めるための消波ブロック１１ｂとを有している。
【００１２】
なお、施工は、基礎工２、外水域側根固捨石層１０、被覆ブロック１１ａ、下部の消波ブロック１１ｂ、ケーソン３、上部工４、上部の消波ブロック１１ｂ、矢板７、内水域側根固捨石層５、盛土（腹付土層）６、遮水層８および被覆モルタル９の順序で行われる。ただし、これに限定されるものではない。
【００１３】
そして、廃棄物処理場においては、遮水シート８の破損箇所を定期的に点検しており、遮水シート８に破損がみつかると、この破損箇所を、後述する遮水シート補修用具とハンドライスター（図示せず）とを用いて補修している（熱溶着によるパッチ処理）。
【００１４】
この遮水シート８の破損箇所を補修する補修用具としては、例えば、筒状容器と、裏当て板とを備えたものが公知になっている（特許文献１参照）。筒状容器は、補修用開口部と、複数の吸盤とを有している。補修用開口部は、遮水シートの破損箇所を補修できるように、筒状容器の底部に形成されている。吸盤は、破損箇所の周縁部の遮水シートを吸着できるように、開口部に配置されている。裏当て板は、破損箇所の周縁部の遮水シートの裏側に密着させられる。
【００１５】
かかる補修用具は、筒状容器が遮水シートに対して上方から下降させられて、遮水シートの破損箇所を筒状容器の補修用開口部によって取り囲むように、遮水シートの破損箇所の周縁部が吸盤によって吸着させられる。その後、破損箇所の周縁部の遮水シートの裏面に、裏当て板があてがわれて密着させられ、遮水シートの破損箇所の周縁部に、筒状容器の補修用開口部が気密に圧接する。この状態において、筒状容器（補修用開口部）の内部が排水されて、補修を要する遮水シートの破損箇所が気中に露出される。そして、気中に露出した遮水シートの破損箇所にパッチ処理を行って、破損箇所が補修される。
【先行技術文献】
【特許文献】
【００１６】
【特許文献１】特開２００２−１２６６８４号公報
【発明の概要】
【発明が解決しようとする課題】
【００１７】
しかしながら、前記特許文献１の、水中に張設される遮水シートの補修方法は、遮水シートの破損箇所の周りを囲んだ領域を気中状態にするには、遮水シートの破損箇所から差し込まれた裏当て板によって、遮水シートの破損箇所の周りを囲んだ領域に、筒状容器の補修用開口部が気密に圧接されることが必須要件となる。したがって、水中作業において、遮水シートの破損箇所から裏当て板が差し込まれる工程と、遮水シートの破損箇所の裏側に裏当て板が配置される工程とが必要になる。このため、その作業が煩雑で、時間を要するという問題がある。
【００１８】
そこで、本発明は、遮水シートの破損箇所の周りを囲んだ領域が密閉される作業を容易に行えるようにした、水中に張設される遮水シートの補修方法およびその補修用具を提供することを課題とする。
【課題を解決するための手段】
【００１９】
本発明に係る、水中に張設される遮水シートの補修方法は、護岸の内側面に沿って張設され、もしくは、該護岸の内側面と間隔を有して離間するように構築される堤状構造体の内側面または外側面に沿って張設される遮水シートに生じる遮水シートの破損を、護岸の内側の内水域で補修する、水中に張設される遮水シートの補修方法であって、補修作業に先立ち、前記遮水シートの破損箇所の周りを囲んだその部位を、前記護岸または前記堤状構造体に向かって押さえつけた状態にして、前記破損箇所を囲んだ領域内の水を排水して、前記破損箇所を囲んだ領域内を気中状態にし、前記破損箇所を囲んだ領域内の前記遮水シートの破損箇所を溶着して補修することを特徴とする。
【００２０】
かかる構成によれば、遮水シートの破損箇所の周りを囲んだその部位が、護岸または堤状構造体に向かって押さえつけられた状態にすることで、遮水シートの破損箇所の周りを囲んだ領域が容易に密閉されるとともに、該領域を気中状態にできる。したがって、遮水シートの破損箇所を迅速に補修できるようになる。すなわち、従来使用していた、遮水シートを吸着する吸着盤、および、遮水シートの破損箇所の裏側に配置する当て板が不要になる分、遮水シートの補修作業、特に前記領域を吸着盤や当て板を用いて密閉する作業がなくなるので、遮水シートに係る補修作業が簡単かつ短時間に行える。
【００２１】
ここで、本発明に係る、水中に張設される遮水シートの補修方法において、前記堤状構造体の外側面に張設される前記遮水シートの破損箇所の周りを囲んで、前記堤状構造体に向かって押さえつけたその反力を、前記護岸で受けさせるような構成を採用することができる。
【００２２】
かかる構成によれば、護岸および堤状構造体が利用されることで、遮水シートの破損箇所の周りを囲んだその部位が押さえつけられた状態に容易に保持できるようになり、囲んだ領域の水が容易に排水される。
【００２３】
また、前記護岸の内側面、または、前記堤状構造体の内側面に張設される前記遮水シートの破損箇所の周りを囲んで、前記護岸または前記堤状構造体に向かって押さえつけたその反力を、前記遮水シートに対面するように配置される仮設構造体で受けさせるような構成を採用することもできる。
【００２４】
ここでいう仮設構造体とは、護岸の内側面、または、堤状構造体の内側面に張設される遮水シートの破損箇所の周りを囲んだ部位を押さえつけたその反力を受けることのできる重量と、破損箇所を有する遮水シートの所定領域に対面する大きさとを有することが条件となる。そして、これら２つの条件を備えた仮設構造体が、遮水シートに対面ように配置されることで、２つの構造体間において、遮水シートの破損箇所の周りを囲んだその部位が押さえつけられた状態に保持される。
【００２５】
また、前記護岸の内側面に張設される前記遮水シートの破損箇所の周りを囲んで、前記護岸に向かって押さえつけたその反力を、前記堤状構造体で受けさせるような構成を採用することができる。
【００２６】
かかる構成によれば、護岸および堤状構造体が利用されることで、遮水シートの破損箇所の周りを囲んだその部位が押さえつけられた状態に容易に保持できるようになり、囲んだ領域の水が容易に排水される。
【００２７】
本発明に係る、水中に張設される遮水シートの補修用具は、護岸の内側面に沿って張設され、もしくは、該護岸の内側面と間隔を有して離間するように構築される堤状構造体の内側面または外側面に沿って張設される遮水シートにおいて、護岸の外側の外水域からの水圧によって生じる遮水シートの破損を、護岸の内側の内水域で補修するために用いられる、水中に張設される遮水シートの補修用具であって、作業者が出入りする出入り用開口部、および、該出入り用開口部に連通する作業者収容空間を有する有底筒状の本管と、該本管に対して直交方向に延出して形成され、作業者収容空間に連通する作業用空間、および、該作業用空間に連通する、遮水シートの破損箇所の周りを囲む作業用開口部を有する分岐管とで構成される作業用管体を備えることを特徴とする。
【００２８】
かかる構成によれば、本管の出入り用開口部が水面から臨出させられた状態で、分岐管が水中に浸漬させられ、作業用開口部が遮水シートの破損箇所の周りに当接されると、遮水シートの破損箇所の周囲、作業用空間、作業者収容空間が水で満たされるようになる。これら空間内の水が外部に排水されれば、遮水シートの破損箇所の周囲は気中状態になり、遮水シートの破損箇所が熱溶着できるようになる。
【００２９】
ここで、本発明に係る、水中に張設される遮水シートの補修用具において、前記遮水シートの破損箇所の周りを囲んだ前記作業用開口部を、前記護岸または前記堤状構造体に向かって押さえつけた状態を保持する押圧保持手段を備えるような構成を採用することもできる。
【００３０】
かかる構成によれば、押圧保持手段によって、遮水シートの破損箇所の周りを囲んだ補助用具の分岐管の作業用開口部が、護岸または堤状構造体に向かって押さえつけられた状態に保持できるようになるので、前記囲んだ領域内の水が容易に排水される。
【００３１】
また、前記押圧保持手段は、前記本管に当接する第１当接部材と、前記護岸、前記堤状構造体、遮水シートに対面するように配置される仮設構造体のいずれかに当接する第２当接部材と、第１当接部材および第２当接部材を伸縮させる伸縮調整部とで構成される押圧保持具を備えるようにしてもよい。
【００３２】
かかる構成によれば、押圧保持具の第１当接部材が本管に当接されるとともに、第２当接部材が、護岸、堤状構造体、仮設構造体のいずれかに当接され、第１当接部材および第２当接部材が互いに離間する方向に伸張されれば、作業用管体の作業者収容部および作業用空間が容易に気中状態になる。
【発明の効果】
【００３３】
本発明によれば、遮水シートの破損箇所の周りを囲んだその部位が、護岸または堤状構造体に向かって押さえつけられた状態に保持されるだけで、前記破損箇所を囲んだ領域内の水が容易に排水されて、前記破損箇所を囲んだ領域内が容易に気中状態にされる。すなわち、遮水シートの破損箇所の補修を簡単かつ短時間で処理することができる。
【００３４】
また、本発明によれば、作業者収容空間を有する有底筒状の本管と、該作業者収容空間に連通する作業用空間を有する分岐管とで構成される作業用管体が、２つの構造体の間に配置され、作業用管体の分岐管の開口部が、いずれか一方の構造体に押さえつけられると、作業者収容空間および作業用空間が容易に気中状態になる。
【図面の簡単な説明】
【００３５】
【図１】本実施形態に係る第１実施形態の護岸の内水域に設定される廃棄物処理場の全体構成を示す概略図。
【図２】図１の要部の拡大図。
【図３】（ａ）は、遮水シート補修用具の作業用管体を示す正面図、（ｂ）は、図３（ａ）の側面図、（ｃ）は、図３（ａ）の背面図。
【図４】（ａ）は、図３（ａ）の平面図、（ｂ）は、図３（ａ）の側断面図。
【図５】作業用管体を構造物に押圧する押圧保持具を示す斜視図であって、（ａ）は、パイプを示す図、（ｂ）は、伸縮調整具を示す図。
【図６】遮水シートの破損箇所を補修する補修方法を示す図であって、（ａ）は、遮水シート補修用具が吊り下げられて、遊水池の上方に位置した状態を示す図、（ｂ）は、遮水シート補修用具が吊り下げられて、遊水池の水に浸漬させられた状態を示す図。
【図７】作業用管体の作業用開口部が遮水シートの破損箇所の周りに当接された状態を示す図。
【図８】（ａ）は、作業用管体が、押圧保持具によって構造物に押圧された状態を示す図、（ｂ）は、作業用管体の内部の水がポンプおよび排水ホースで排水されている状態を示す図。
【図９】（ａ）は、作業用管体の内部に梯子を入れた状態を示す図、（ｂ）は、作業用管体の内部に作業者が入って、遮水シートの破損箇所を補修している状態を示す図。
【図１０】本発明に係る第２実施形態の遮水シートの補修方法を示す概略図。
【図１１】護岸の内水域に設定される一般的な廃棄物処理場の全体構成を示す概略図。
【発明を実施するための形態】
【００３６】
本発明に係る、水中に張設される遮水シート補修方法およびその補修用具の実施形態について、図１〜図１０を参照しながら説明する。なお、本実施形態においては、図１１の場合と同様、護岸により外水域から締め切られた内水域に設定される廃棄物処理場を例にとって説明する。したがって、図１１と同一符号は同一もしくは相当するものを示し、異なる点のみを説明する。
（第１実施形態）
【００３７】
まず、廃棄物処理場を含む全体構成およぶ要部の構成について図１および図２を参照して説明する。該全体構成は、遮水シート８の上側部が護岸１の内側面と間隔を有して離間するように、かつ、盛土６の法面６ｂに遮水シート８の下側部が沿うように敷設されている。そして、盛土６の法面６ｂからのり肩部６ｄにかけて敷設されている遮水シート８の上に、被覆モルタル９が構築されている。特に、のり肩部６ｄにおいては、護岸１の内側面１ａと間隔を有して離間するように、被覆モルタル９が壁状に構築されている。被覆モルタル９は、その最上段の被覆モルタル９が、内水域Ａの水面の位置よりも僅かに上方に突出する高さになるように構築されている。また、被覆モルタル９の最上段には、護岸１の内側面１ａと間隔を有して離間するように、かつ、内水域Ａの水上に位置するように、側面視直角三角形状に組み立てられた鉄壁１２が固設されている。鉄壁１２は、被覆モルタル９の最上段に固設されているが、上部工４の堤防（突条体）４ｂよりもやや低位置にある。そして、のり肩部６ｄの被覆モルタル９および鉄壁１２によって堤状構造体１５が構築されている。この堤状構造体１５の外側面、すなわち、護岸１の内側面１ａと対向する、のり肩部６ｄに構築された被覆モルタル９の対向面および鉄壁１２の対向面１２ａは、略面一に構成されている。そして、略面一に構成された堤状構造体１５の外側面（直立面）に、遮水シート８の上側部が張設されている。このため、遮水シート８の上側部は、護岸１の内側面１ａと間隔を有して離間した状態となっている。また、護岸１の内側面１ａと、壁状に構築されたのり肩部６ｄの被覆モルタル９の外側面との間に、外水域Ｂからの揚圧力を逃がすための遊水池１６が形成されている。
【００３８】
つぎに、遮水シート８の破損箇所を補修する際に使用される補修用具、すなわち、作業用管体２０、押圧保持具２５につき、図３〜図５を参照して順次説明する。本実施形態に係る補修用具は、揚圧力により遮水シート８が盛土（腹付土層）６から浮き上がってしまうことの繰り返しにより遮水シート８が疲労破壊を起こすことやそれ以外の外的要因により遮水シート８に破損が生じた場合、その破損箇所を補修するためにものである。
【００３９】
補修用具としての作業用管体２０は、図３および図４に示すように、本管２１と、分岐管２２と、受板２３とを備えている。本管２１は、出入り用開口部２１ａと、作業者収容空間２１ｂとを有している。出入り用開口部２１ａは、梯子を伝って作業者が出入りする大きさを有している。作業者収容空間２１ｂは、出入り用開口部２１ａに連通して、作業者が直立した状態で周方向に自由に動ける容積を有している。
【００４０】
分岐管２２は、本管２１に対して直交方向に延出して形成されている。そして、分岐管２２は、作業用開口部２２ａと、作業用空間２２ｂを有している。作業用開口部２２ａは、遮水シート８の破損箇所の周りを囲む大きさを有している。作業用空間２２ｂは、作業者収容空間２１ｂおよび作業用開口部２２ａに連通している。また、作業用空間２２ｂは、作業者の手が挿脱できるとともに、自由に動かせる容積を有している。受板２３は、分岐管２２とは反対側に配置されている。
【００４１】
そして、受板２３は、後述する押圧保持具２５の複数のパイプ２６，…の端部が当接できるように、矩形状の板体によって構成されている。より詳しくは、受板２３には、適宜箇所にピン２３ａ，…が突出して設けられ、各ピン２３ａにパイプ２６の端部が嵌ることで、パイプの端部が受板２３に当接した状態が維持される。本実施形態においては、８個のピン２３ａ，…が環状に等間隔で配置されており、そのため、複数のパイプ２６，…を環状に配置することができる。なお、環状にしたのは、より詳しくは、分岐管２２と同心になるように環状に配置したのは、分岐管２２に対して均等に力を作用させる（あるいは分岐管２２からの力を均等に受ける）ためである。しかし、それは完全に均等ということである必要はなく、例えば多角形状に配置するようなことであってもよい。
【００４２】
補修用具としての押圧保持具２５は、図５（ａ），（ｂ）に示すように、パイプ２６と、伸縮調整具２７とを備えている。パイプ２６は、後述する伸縮調整具２７の雄ねじ２７０よりも長尺で大径に構成され、作業用管体２０の受板２３に当接する。伸縮調整具２７は、雄ねじ２７０と、雌ねじ２７１とを有している。雄ねじ２７０は、基端部に、護岸１に当接する当て板２７０ａが固着されている。雌ねじ２７１は、雄ねじ２７０に螺合して、雄ねじ２７０の軸方向に対して自在に移動できるようになっている。また、雄ねじ２７０は、パイプ２６の内径よりも短尺で、小径に構成されている。そして、雄ねじ２７１は、パイプ２６に内挿される。雌ねじ２７１は、径外方向に突設されたハンドル２７１ａ，２７１ａを有している。該ハンドル２７１ａ，２７１ａは、パイプ２６の開口部２６ａの端面に当接する。また、ハンドル２７１ａ，２７１ａを周方向に回動させることで、雌ねじ２７１が雄ねじ２７０に対して移動する。
【００４３】
つぎに使用態様について説明する。まず、図６（ａ）に示すように、作業用管体２０がクレーン（図示せず）などで吊り下げられて、護岸１と被覆モルタル９との間の水域（遊水池）１６の上方に位置させられる。そして、図６（ｂ）に示すように、作業用管体２０の本管２１の出入り用開口部２１ａが水面から臨出させられた状態で、分岐管２２が水中に浸漬させられる。この際、作業用開口部２２ａから水が流入して、遮水シート８の破損箇所の周囲、分岐管２２の作業用空間２２ｂ、本管２１の作業者収容空間２１ｂが水で満たされるようになる。そして、図７に示すように、分岐管２２の作業用開口部２２ａが遮水シート８の破損箇所Ｘの周りに当接される。
【００４４】
そして、図８（ａ）に示すように、押圧保持具２５のパイプ２６の一端部の開口部２６ａの端面が作業用管体２０の受板２３に取り付けられる。つぎに、パイプ２６の他端部の開口部２６ａに伸縮工具２７の雄ねじ２７０が内挿される。この際、ハンドル２７１ａ，２７１ａにパイプ２６の他端部の開口部２６ａの端面が当接する。つぎに、ハンドル２７１ａ，２７１ａが緩める方向に回動されて、雄ねじ２７０の当て板２７０ａが護岸１に当接される。そして、作業用管体２０の分岐管２２の作業用開口部２２ａが遮水シート８の破損箇所の周りに圧接された状態になる位置で、ハンドル２７１ａ，２７１ａが締め付け方向に回動されて、前記圧接された状態が維持される。
【００４５】
この状態で、図８（ｂ）に示すように、本管２１の内部に、排水ホースｈが接続された吸水ポンプＰが配置されて、該吸水ポンプＰおよび排水ホースｈによって、本管２１および分岐管２２の内部の水が外部に排水される。そして、本管２１および分岐管２２の内部（遮水シート８の破損箇所の周囲、作業用空間２２ｂ、作業者収容空間２１ｂ）が気中状態になる。
【００４６】
つぎに、図９（ａ）に示すように、作業用管体２０の本管２１の内部（作業者収容空間２１ｂ）に梯子Ｈが入れられて、梯子Ｈを伝って本管２１の内部（作業者収容空間２１ｂ）に作業者Ｙが入り、作業者Ｙが分岐管２２の作業用空間２２ｂを介して、遮水シート８の破損箇所が溶着器（図示せず）によって補修される（図９（ｂ）参照）。
【００４７】
このように、第１実施形態によれば、護岸１と、該護岸１の内側面１ａと間隔を有して離間するように構築された堤状構造体１５とを利用することで、作業用管体２０の分岐管２２の作業用開口部２２ａが、遮水シート８の破損箇所の周りに容易に押さえつけられるようになる。すなわち、２つの構造体間（護岸１と堤状構造体１５との間）において、遮水シート８の破損箇所の周りを囲んだ部位が容易に密閉できて、水中にある遮水シート８の破損箇所の領域を、気中の領域に容易に変換できる。
（第２実施形態）
【００４８】
つぎに第２実施形態について図１０を参照して説明する。図１と異なる点は、護岸１の内側に造成された盛土６の法面６ｂから護岸１の内側面にかけて遮水シート８が張設されている点と、破損箇所を有する遮水シート８の所定の領域に対面するように、盛土６ののり肩部６ｄに、その上面が水面から少し臨出するように、断面が四角形状の仮設構造体３０が配置されている点である。そして、護岸１の内側面１ａに張設される遮水シート８の破損箇所の周りを囲んで、護岸１に向かって押さえつけたその反力が、遮水シート８に対面するように配置される仮設構造体３０で受けるようにした点で異なっている。また、護岸１の内側に遊水池１６が形成されていない点においても異なる。なお、護岸１の内側面１ａに対向する仮設構造体３０の対向面３０ａは、押圧保持具２５の当て板２７０ａが当接しやすいように直立面に構成されている。
【００４９】
そして、護岸１と仮設構造体３０との間の水域に、作業用管体２０の出入り用開口部２１ａが水面から臨出するように、作業用管体２０が浸漬される。つぎに、押圧保持具２５のパイプ２６の一端部の開口部２６ａの端面が作業用管体２０の受板２３に当接される。つぎに、パイプ２６の他端部の開口部２６ａに伸縮工具２７の雄ねじ２７０が内挿される。この際、ハンドル２７１ａ，２７１ａにパイプ２６の他端部の開口部２６ａの端面が当接する。つぎに、ハンドル２７１ａ，２７１ａが緩める方向に回動されて、雄ねじ２７０の当て板２７０ａが、護岸１の内側面１ａに対向する仮設構造体３０の対向面（直立面）３０ａに当接される。そして、作業用管体２０の分岐管２２の作業用開口部２２ａが遮水シート８の破損箇所の周りに圧接された状態になる位置で、ハンドル２７１ａ，２７１ａが締め付け方向に回動されて、前記圧接された状態が維持される。この状態で、本管２１および分岐管２２の内部の水が外部に排水されると、本管２１および分岐管２２の内部が気中状態になり、遮水シート８の破損箇所が補修できるようになる。
【００５０】
このように、第２実施形態によれば、護岸１と、破損箇所を有する遮水シート８の所定の領域に対面するように配置された仮設構造体３０とが利用されることで、作業用管体２０の分岐管２２の作業用開口部２２ａが、遮水シート８の破損箇所の周りに容易に押さえつけられるようになる。すなわち、２つの構造体間（護岸１と仮設構造体３０との間）において、遮水シート８の破損箇所の周りを囲んだ部位が容易に密閉できて、水中にある遮水シート８の破損箇所の領域を、気中の領域に容易に変換できる。
【００５１】
なお、本発明は、前記実施形態に限定されるものではなく、種々変更することができる。
【００５２】
例えば、前記実施形態の場合、雄ねじ２７０と、該雄ねじ２７０に螺合する雌ねじ２７１とで構成される伸縮調整具としたが、外筒と、該外筒に内挿される内筒と、外筒に対する内筒の長さを所定の位置で固定するボルトとで構成される伸縮調整具であってもよい。
【００５３】
また、前記実施形態の場合、外水域を海としたが、河川や湖であってもよい。
【符号の説明】
【００５４】
１…護岸、２…基礎工、１ａ…内側面、６…盛土（腹付土層）、６ｂ…法面、６ｄ…のり肩部、８…遮水層（遮水シート）、１５，１５０…堤状構造体、１６…遊水池、２０…作業用管体、２１…本管、２１ａ…出入り用開口部、２１ｂ…作業者収容空間、２２…分岐管、２２ａ…作業用開口部、２５…押圧保持具、３０…仮設構造体、Ｇ…水底地盤、Ｘ…破損箇所、Ｙ…作業者
【図１】
0005555268.tif 000002
【図２】
0005555268.tif 000003
【図３】
0005555268.tif 000004
【図４】
0005555268.tif 000005
【図５】
0005555268.tif 000006
【図６】
0005555268.tif 000007
【図７】
0005555268.tif 000008
【図８】
0005555268.tif 000009
【図９】
0005555268.tif 000010
【図１０】
0005555268.tif 000011
【図１１】
0005555268.tif 000012